(57)【特許請求の範囲】
【請求項１】
肛門周囲に貼られる粘着剤部に袋本体部を固着した排便袋であって、
前記袋本体部は、
薬剤を納めるか又は指を差込むための突起が設けられた先端部と、排便された便が通る開口部とを有する袋体であって、
前記袋体は、前記先端部の前記突起が前記開口部の内側に位置する２枚重ね状態とされ、２枚重ね状態の折返し部から、２枚重ね状態のまま、前記開口部まで外向きに丸め巻かれた円形状の状態に形成されており、
前記粘着剤部は、粘着剤層と保護フイルムとを層状に備え、
前記粘着剤部には、前記粘着剤層と前記保護フイルムとを貫通するように貫通孔が形成されており、
前記袋本体部の前記開口部と、前記粘着剤部の前記貫通孔とがあわさるように固着されており、
前記粘着剤部が肛門周囲に貼られるとき、前記袋本体部が前記保護フイルム側に位置している
ことを特徴とする排便袋。
【請求項２】
前記貫通孔は、星形である
ことを特徴とする請求項１に記載の排便袋。
【請求項３】
前記粘着剤部は、前記粘着剤層の外側の剥離紙と、前記保護フイルムの外側の支持フイルムとを備える
ことを特徴とする請求項１又は２に記載の排便袋。
【請求項４】
前記袋体が、前記開口部まで外向きに丸め巻かれた円形状の状態は、
前記袋体の内面が外側となるように、前記袋体を前記開口部の側から前記先端部の側に向かって外向きに折り返していき、前記開口部の内側に前記先端部の前記突起が位置する２枚重ね状態とされ、さらに、２枚重ね状態の折返し部から、前記袋体を２枚重ね状態のまま、前記開口部まで外向きに丸め巻いて形成されている
ことを特徴とする請求項１から３までのいずれか１項に記載の排便袋。
【請求項５】
薬剤を納めるか又は指を差込むための突起が設けられた先端部と、排便された便が通る開口部とを有する袋体である袋本体部が、
粘着剤層と保護フイルムとを層状に備え、前記粘着剤層と前記保護フイルムとを貫通するように貫通孔が形成された、肛門周囲に貼られる粘着剤部に、
前記袋本体部が前記保護フイルム側に位置し、前記袋本体部の前記開口部と前記粘着剤部の前記貫通孔とがあわさるように、固着された排便袋の製造方法であって、
前記袋本体部の形成工程は、
前記袋体の内面が外側となるように、前記袋体を前記開口部の側から前記先端部の側に向かって外向きに折り返す工程と、
前記開口部の内側に前記先端部の前記突起が位置する２枚重ね状態の２枚重ね部を形成する工程と、
前記２枚重ね部の折返し部から、前記袋体を２枚重ね状態のまま、前記開口部まで外向きに丸め巻く工程と、
を含むことを特徴とする排便袋の製造方法。
【発明の詳細な説明】
【技術分野】
【０００１】
本発明は、コンパクトな排便袋及び排便袋の製造方法に関するものである。
【背景技術】
【０００２】
現在、トイレに行くことができない人や、おむつ使用の寝たきりの人などの排便は、おむつ内排便が主流であるが、おむつ内の排便では、大腸菌による感染症で重篤化が起きる問題があるため、排便袋を使用することも行われている。【０００３】
従来の排便袋は、肛門の孔に合わせ周囲に排便袋の接着部を接着し、袋体を肛門から裏返しするようにして直腸内に納め、排便と共に肛門から排出させる構造であった（例えば、特許文献１参照。）。【０００４】
また、別の従来の排便袋は、袋本体が蛇腹状に折り畳まれ（あるいは、単に押しつぶす如くされ）たものもあった（例えば、特許文献２参照。）。これは、介護などの用途に好適であり、使い切り手袋を用いることなしに、座薬などの薬剤を直腸内に挿入できるものであった。
【先行技術文献】
【特許文献】
【０００５】
【特許文献１】特開２００６−１６７１８１号公報
【特許文献２】特開２００８−２５３５８４号公報
【発明の概要】
【発明が解決しようとする課題】
【０００６】
上記特許文献１に記載のような、肛門から直腸内に挿入し納める排便袋は、挿入の際、使用者に痛みを与えるため、使用者がパニック状態になることがある。また、排便袋の直腸内の挿入に抵抗がある場合や、疾患により排便袋を直腸内に納められない場合などでは、排便袋が体外に露出状態とされるため、使用者が違和感を感じることになる。【０００７】
上記特許文献２に記載のような、薬剤を直腸内に挿入できる排便袋は、多くの問題を解決するものの、袋本体が、蛇腹状に折り畳まれあるいは押しつぶされた状態で使用されるため、使用者が寝たきり状態と限定的であり、重症者を対象とするものである。そのため、寝返りや多少の動きができる使用者であれば、やはり違和感を感じることになる。【０００８】
排便袋を使用する場合であっても、衛生的で皮膚かぶれや炎症、床ずれ予防や大腸菌による感染症予防が必要であり、さらに、使用者の精神面を考慮しなければならない。【０００９】
本発明は、このような問題を解決しようとするものであり、コンパクトな排便袋及び排便袋の製造方法を提供することを目的とする。
【課題を解決するための手段】
【００１０】
（１）本発明に係る一つの態様は、粘着剤部に袋本体部を固着した排便袋であって、袋本体部は、突起が設けられた先端部と、開口部とを有する袋体であって、袋体は、先端部の突起が開口部の内側に位置する２枚重ね状態とされ、２枚重ね状態の折返し部から、２枚重ね状態のまま、開口部まで外向きに丸め巻かれた円形状の状態に形成されており、粘着剤部は、粘着剤層と保護フイルムとを備え、粘着剤部には、粘着剤層と保護フイルムとを貫通するように貫通孔が形成されており、袋本体部の開口部と粘着剤部の貫通孔とがあわさるように固着されている排便袋である。【００１１】
（２）上記（１）の態様において、貫通孔は、星形であってもよい。【００１２】
（３）上記（１）又は（２）の態様において、粘着剤部は、粘着剤層の側の剥離紙と、保護フイルムの側の支持フイルムとを備えてもよい。【００１３】
（４）上記（１）から（３）までのいずれか一つの態様において、開口部まで外向きに丸め巻かれた円形状の状態である袋体は、袋体の内面が外側となるように、開口部の側から先端部の側に向かって外向きに折り返して、側面視で開口部が先端部の突起に重なった２枚重ね状態とされ、さらに、２枚重ね状態の折返し部から、２枚重ね状態のまま、開口部まで外向きに丸め巻かれて形成されてもよい。【００１４】
（５）本発明に係る別の一つの態様は、突起が設けられた先端部と、開口部とを有する袋体である袋本体部と、粘着剤層と保護フイルムとを備え、粘着剤層と保護フイルムとを貫通するように貫通孔が形成された粘着剤部とを、袋本体部の開口部と粘着剤部の貫通孔とがあわさるように、固着した排便袋の製造方法であって、袋本体部の形成工程は、袋体の内面が外側となるように、袋体を開口部の側から先端部の側に向かって外向きに折り返す工程と、開口部の内側に先端部の突起が位置する２枚重ね状態の２枚重ね部を形成する工程と、２枚重ね部の折返し部から、袋体を２枚重ね状態のまま、開口部まで外向きに丸め巻く工程と、を含む排便袋の製造方法である。
【発明の効果】
【００１５】
本発明によれば、コンパクトな排便袋及び排便袋の製造方法を提供することができる。
【図面の簡単な説明】
【００１６】
【図１】本発明の実施形態に係る排便袋を示す斜視図である。
【図２】排便袋を構成する袋本体部を示す斜視図である。
【図３】袋本体部を折り返した２枚重ね状態を示す斜視図である。
【図４】２枚重ね状態の袋本体部が丸め巻かれる状態を示す斜視図である。
【図５】丸め巻かれ円形状になった袋本体部を示す斜視図である。
【図６】排便袋を構成する粘着剤部を示す斜視図である。
【図７】排便袋の側面図である。
【図８】排便袋の使用状態を示す斜視図である。
【図９】排便袋の使用状態を示す斜視図である。
【図１０】粘着剤部の変形例を示す平面図である。
【発明を実施するための形態】
【００１７】
以下、本発明の一実施形態について、図面を参照しながら詳細に説明する。なお、実施形態の説明の全体を通じて同じ要素には同じ符号を付して説明する。
【００１８】
図１に示される排便袋１００は、おむつと併用し肛門周囲に直接貼って使われるコンパクトなもので、図２に示される袋本体部１は、天然ゴムラテックスや塩化ビニール、その他の樹脂などの素材を用いてワセリン加工された、開口部２の側に若干の括れを有する袋体で、先端部３に突起が設けられている。袋本体部１は、ストレートな円筒状であってもよい。図３に示されるように、袋本体部１の開口部２を下にし、先端部３を上にして、袋本体部１の内面が外側にくるように、開口部２を下から上へ外側に向かって折り返し、２枚重ね状態の２枚重ね部４を形成する。２枚重ね部４の折返し部５を、図４に示されるように、２枚重ねた状態のまま、下から上へ外側に丸め巻き、丸め巻き部６を形成しながら、図５に示されるように、丸め巻き部６が開口部２にほぼ密着するまで丸め巻きし、円形状の袋本体部１を形成する。袋本体部１の形成工程の各工程を行う際は、袋本体部１の内部に、袋本体部１と同形の型材を挿入するとよい。
【００１９】
肛門周囲に直接貼る粘着剤部１２は、陰部を考慮しながら臀部の形に添い、図６に示されるように、楕円形で中央に沿って緩やかな括れをおびた、瓢箪状の形状で形成し、皮膚への影響が少ない肌側の防水粘着剤層７と、外側の保護フイルム８とを備え、両者を貫通する貫通孔９を設け、そこに円形状に丸め巻かれた袋本体部１の開口部２を固着させる。袋本体部１の固着は、防水粘着剤層７への接着でもよいし、保護フイルム８への接着又は溶着でもよい。粘着剤は、接着剤であってもよい。図７に示されるように、防水粘着剤層７の側には剥離紙１０が設けられ、保護フイルム８の側には支持フイルム１１が設けられている。剥離紙１０及び支持フイルム１１は、二つに別れて剥離されるようになっていてもよい。なお、図1及び図６では、剥離紙１０及び支持フイルム１１は、一部が剥がされた状態である。
【００２０】
排便袋１００を使用するときは、円形状に丸め巻かれた袋本体部１が、肛門の中心に位置するようにあてがう。しかしながら、肛門の中心が不確かであれば、先端部３の突起に外側から指を差し込み、指で肛門に触れ、焦点を合わせる。この突起は、凹凸自在であるので、座薬などの薬剤を使用する際は、突起の内側に薬剤を納め、防水粘着剤層７の側の白い剥離紙１０を剥がして、肛門の周囲に貼り、保護フイルム８の側の支持フイルム１１を剥がし取って、薬剤を挿入する。
【００２１】
排便袋１００を貼った状態で排便すると、排便袋１００の先端部３が便によって押し出され、便は、円形状に丸め巻きされた袋本体部１の内部を通りながら、図８及び９に示されるように、丸め巻き部６を、徐々にほぐし筒状に変化させながら、先端部３に溜まる。溜まった便は、排便袋１００の粘着剤部１２を肛門周囲から剥がすことにより、排便袋１００ごと取り除くことができて簡単に処理できる。
【００２２】
本発明の排便袋は、簡単に貼付け又は取除きができるので、衛生的であり、手間や時間が大幅に短縮できる。
【００２３】
本発明の排便袋は、おむつと併用して使うことで、寝たままの状態で排便しても、排便が直接排便袋の内部を通って溜まるので、陰部、鼠径部及び臀部などが、便で汚れることがないし、皮膚のかぶれや炎症・掻痒が解消されるし、おむつ内排便のような、大腸菌による感染症によって重篤化が起こらない。便臭によって周囲に不快感を与えることがない。排便袋を処理する場合は、粘着剤部を二枚折りにすることで、貫通孔が閉止されるから、便がこぼれたり、便臭が放出されたりしない。
【００２４】
本発明の排便袋は、おむつと併用して使うことで高齢者・身体障害者・病床人など寝たきり状態の人や寝返りや多少の動きができる人でも違和感なく使用できる。
【００２５】
本発明の排便袋は、排便調整が上手くできずに、座薬などの薬剤を使用する場合においても、薬剤の挿入が容易にできる。
【００２６】
本発明の排便袋は、粘着剤部の貫通孔の中心に、肛門が位置するように貼付けられるので、一回の排便袋の便量によっては、２度目以降の排便後に、排便袋を処理するなど使用の調整ができる。
【００２７】
本発明の排便袋は、排便袋の先端部の突起に指を差込み、指で肛門を探り、焦点を合わせることができるので、停電や災害時でも、排便袋を自己又は他人の肛門周囲の適切な位置に貼付けることができる。
【００２８】
（変形例）
丸め巻かれた円形状の袋本体部１の形成方法は、上記実施形態に限らず、先端部３の側から開口部２の側に向かって、先端部３の突起を袋本体部１の内側に押し込むことにより内向きに折り返していき、先端部３の突起が開口部２の内側に位置する２枚重ね状態の２枚重ね部４とされ、さらに、２枚重ね部４の折返し部５から、２枚重ね状態のまま、開口部２まで外向きに丸め巻いて形成してもよい。この形成方法であれば、袋本体部１を粘着剤部１２に固着した後からでも、丸め巻き部６を形成できる、排便袋の製造方法を提供できる。
【００２９】
粘着剤部１２の形状は、上記実施形態に限らず、肛門周囲の陰部、鼠径部及び臀部の形状にあわせて、ハート形状としてもよい。このような形状であれば、使用者が動いたとしても、排便袋１００が剥がれ難くなる。
【００３０】
貫通孔９の形状は、上記実施形態に限らず、星形としてもよい。このような形状であれば、排便袋１００を肛門の中心に位置させることが簡単になるし、便が貫通孔９を通り易くなり、肛門付近への便の再付着を防止できる。また、使用者が動いたとしても、排便袋１００が剥がれ難くなるし、また、固着強度が上がるため、粘着剤部１２から袋本体部１が外れることもない。
【００３１】
以上、本発明の好ましい実施形態について詳述したが、本発明は上述した実施形態に限定されるものではなく、請求の範囲に記載された本発明の要旨の範囲内において、種々の変形、変更が可能である。
【符号の説明】
【００３２】
１      袋本体部
２      開口部
３      先端部
４      ２枚重ね部
５      折返し部
６      丸め巻き部
７      防水粘着剤層
８      保護フイルム
９      貫通孔
１０    剥離紙
１１    支持フイルム
１２    粘着剤部
１００  排便袋
【要約】
本発明は、粘着剤部１２に袋本体部１を固着した排便袋１００であって、袋本体部１は、突起を有する先端部３と、開口部２とを含む袋体であって、袋体は、先端部３の突起が開口部２の内側に位置する２枚重ね状態とされ、２枚重ね状態の折返し部５から、２枚重ね状態のまま、開口部２まで外向きに丸め巻かれた円形状の状態に形成されており、粘着剤部１２は、粘着剤層７と保護フイルム８とを含み、粘着剤部１２には、粘着剤層７と保護フイルム８とを貫通するように貫通孔９が形成されており、袋本体部１の開口部２と、粘着剤部１２の貫通孔９とがあわさるように固着されている排便袋１００である。本発明によれば、コンパクトな排便袋を提供することができる。【図１】
0005999801.tif 000002
【図２】
0005999801.tif 000003
【図３】
0005999801.tif 000004
【図４】
0005999801.tif 000005
【図５】
0005999801.tif 000006
【図６】
0005999801.tif 000007
【図７】
0005999801.tif 000008
【図８】
0005999801.tif 000009
【図９】
0005999801.tif 000010
【図１０】
0005999801.tif 000011